(57)【要約】【課題】ベルベットのような毛羽立つ風合いと、鮮明な輪郭のカラープリント画像を表出できるインクジェットプリント用紙を提供する。【解決手段】基材シート（１０）の表面へ接着剤（１３）を介して、水性インクの吸収可能な白色パイル（１４）の群数を静電植毛法により密集状態に植え付けた。【選択図】　図２
0003096820.tif 000002
【実用新案登録請求の範囲】
【請求項１】
基材シート（１０）の表面へ接着剤（１３）を介して、水性インクの吸収可能な白色パイル（１４）の群数を静電植毛法により密集状態に植え付けたことを特徴とするインクジェットプリント用紙。
【請求項２】
パイル（１４）の材質として、植物繊維とセルロース系再生繊維との混紡繊維を採用したことを特徴とする請求項１記載のインクジェットプリント用紙。
【請求項３】
パイル（１４）の長さを約１００μｍ〜約４００μｍとして、基材シート（１０）の厚みよりも大きな寸法に設定したことを特徴とする請求項１記載のインクジェットプリント用紙。
【請求項４】
基材シート（１０）の裏面へ離型シート（１２）を貼り合わせたことを特徴とする請求項１記載のインクジェットプリント用紙。
【考案の詳細な説明】
【０００１】
【考案の属する技術分野】
本考案はベルベットのような毛羽立つ風合いと、鮮明な輪郭のカラープリント画像を表出できるインクジェットプリント用紙に関する。
【０００２】
【従来の技術】
現在普及しているインクジェットプリント用紙は図４のように、主成分の合成シリカに対して、顔料やバインダー、インク定着剤などが配合されたインク受容層（１）を、紙やプラスチックフィルムなどの基材シート（２）へ表側から被覆一体化したものであり、その基材シート（２）へ裏側から離型シート（３）を貼り合わせたタツク紙も市販されている。
【０００３】
【考案が解決しようとする課題】
ところが、インクジェットプリンターのインクは水性であり、特に染料インクの場合、その点滴として上記プリント用紙へ付着されるインクが、横方向への拡散的に滲み流れやすく、プリント画像の輪郭がぼやけてしまう。
【０００４】
そのため、特別な滲み防止用のコーティング被膜（４）を上記基材シート（２）の表面へ一旦塗工した後に、上記インク受容層（１）を塗工しなければならず、甚だ煩雑である。
【０００５】
それにもまして、上記プリント用紙の表面はそのインク受容層（１）の全体的な平滑面をなすに過ぎない結果、未だ興趣に乏しく、斬新さを訴求することもできない。
【０００６】
【課題を解決するための手段】
本考案はこのような課題の解決を企図しており、そのために有効なインクジェットプリント用紙として、基材シートの表面へ接着剤を介して、水性インクの吸収可能な白色パイルの群数を静電植毛法により密集状態に植え付けたことを特徴とするものである。
【０００７】
【考案の実施の形態】
以下、図面に基いて本考案の具体的構成を詳述すると、その本考案のインクジェットプリント用紙を示した図１、２において、（１０）は一定な大きさ（例えばＡ４サイズや郵便はがきのサイズ）と厚み（例えば約５μｍ）の基材シートであり、上質紙や中質紙、アート紙、合成紙、透明又は不透明なプラスチックフィルムから成る。
【０００８】
（１１）は上記基材シート（１０）の裏面にコーティングされた粘着剤、（１２）はその粘着剤（１１）を介して剥離自在に貼り合わされた離型シートであり、これも基材シート（１０）とほぼ同じ厚みの紙やプラスチックフィルムから成るが、その貼り合わせ設置を省略することもあり得る。
【０００９】
（１３）は同じく基材シート（１０）の表面にコーティングされた接着剤、（１４）はその接着剤（１３）を介して、上記基材シート（１０）の表面へ静電植毛法により密集状態に植え付けられた白色パイル（短繊維）の群数であり、全体的なベルベットの風合いを表出している。
【００１０】
茲に、パイル（１４）が白色以外の有彩色であると、インクジェットプリンターの各種カラーインクと混じり合い濁って、そのカラープリント画像の変色するおそれがあるため、白色のパイル（１４）を採用する。
【００１１】
上記パイル（１４）の材質としては、インクジェットプリンターの水性インクを吸収できる繊維であれば足りるが、特に植物繊維の綿−約３０％と、セルロース系再生繊維のビスコース・レーヨンやキュプラ（商品名：ベンベルグ）−約７０％とから成る混紡繊維を採用することが好ましい。一層柔軟性に富むベルベットの風合いを醸成できるからである。
【００１２】
同じくパイル（１４）の長さとしては、上記基材シート（１０）の厚みに対する２〜８倍程度の約１００μｍ〜約４００μｍにカットすることが望ましい。その１００μｍ未満ではベルベットの風合いを表出し難く、逆に４００μｍを越えると、基材シート（１０）に対する植え付け時の分散が困難となるほか、インクジェットプリンターのヘッドを傷付けやすくなるからである。
【００１３】
更に、上記パイル（１４）の繊度（太さ）としては、約３ｄｅ〜約３０ｄｅに設定することが好ましい。その３ｄｅ未満であると、容易に伏倒してしまいプリント画像の輪郭をシャープに鮮明化し難く、逆に３０ｄｅを越えると、パイル（１４）の長さが制限されることになるからである。
【００１４】
図３は上記パイル（１４）の静電植毛工程を例示しており、（１５）は基材シート（１０）の繰り出し機、（１６）はその基材シート（１０）の搬送ライン上に臨むパイル収容ホッパー、（１７）は高電圧発生器であって、その高圧極（ａ）と接地極（ｂ）との上下一対が、上記基材シート（１０）の搬送ラインを挟むように向かい合っている。（１８）は上記パイル植え付け用接着剤（１３）の乾燥装置、（１９）は残余パイルの回収装置、（２０）は基材シート（１０）の捲き取り機である。
【００１５】
上記繰り出し機（１５）から繰り出し搬送される基材シート（１０）に対して、その表面へ接着剤（１３）をコーティングした後、高電圧発生器（１７）に送入する。そして、その高圧極（ａ）に高電圧が印加されると、ホッパー（１６）内に収容されているパイル（１４）の群数が、誘導により高電圧を帯びると同時に、その高圧極（ａ）と接地極（ｂ）との相互間に電解が形成されるため、上記パイル（１４）の群数は接地極（ｂ）に向かって飛翔し、その相互間を通過する基材シート（１０）の上記接着剤（１３）とも相俟って、その基材シート（１０）へパイル（１４）の群数が植え付け密集状態に接着一体化され、１本づつ別個独立した起毛状態となる。
【００１６】
その後、上記接着剤（１３）は乾燥装置（１８）により乾燥・硬化され、そのパイル（１４）の群数が密集状態に植え付けられたインクジェットプリント用紙として、捲き取り機（２０）に捲き取られることとなる。上記接着されなかった残余のパイル（１４）は、その回収装置（１９）に回収処理される。
【００１７】
このようにして仕上がった本考案のインクジェットプリント用紙は、その後一定な大きさにカットされた上、販売に供されるため、これを購入した一般需要者において、インクジェットプリンターにより希望の文字や図柄、その他の画像（Ｍ）をカラープリントすれば良い。
【００１８】
そうすれば、インクジェットプリンターの水性インクが上記パイル（１４）の別個独立する１本づつに吸収・定着され、横方向への拡散的に滲み流れないため、しかもその群数から全体的に連繋した状態に発色する結果、その輪郭がシャープに鮮明化したプリント画像（Ｍ）を得ることができ、このことにはパイル（１４）の白色が地肌又は背景をなすことも、有機的に働くものと言える。
【００１９】
又、画像（Ｍ）のプリント部分とその余白の非プリント部分との相互間において、ベルベットのような風合いが異なることもなく、上記基材シート（１０）に静電植毛されたパイル（１４）の群数により、斬新さと興趣に富むカラーインクジェットプリント物を得られる。
【００２０】
このようなインクジェットプリント物は上記離型シート（１２）を剥離して、各種品物や構造物へ貼り付け転写したり、或いはそのまま机上の敷き物やマウスマットなどとして使用したりすることができる。
【００２１】
【考案の効果】
以上のように、本考案のインクジェットプリント用紙では基材シート（１０）の表面へ接着剤（１３）を介して、水性インクの吸収可能な白色パイル（１４）の群数を静電植毛法により密集状態に植え付てあるため、その密集状態に植え付けられたパイル（１４）の群数から、興趣に富む特異なベルベットの風合いを表出させることができる。
【００２２】
しかも、インクジェットプリンターの水性インクが上記パイル（１４）の別個独立する１本づつに吸収・定着されることとなり、横方向への拡散的に滲み流れないため、従来のような特別の滲み防止用コーティング被膜（４）を施す必要なく、輪郭の鮮明なプリント画像（Ｍ）を得ることができ、このことにはパイル（１４）が白色として、上記プリンターの各種カラーインクに対する地肌又は背景をなすことも、有機的に働くのである。
【００２３】
特に、請求項２の構成を採用するならば、上記ベルベットの柔軟な風合いを得ることができ、しかも水性インクの吸収性がますます向上する。
【００２４】
又、請求項３の構成を採用するならば、上記ベルベットの柔軟性をますます昂めることができるほか、パイル（１４）の群数を基材シート（１０）へ容易・確実に植え付け得る効果もある。
【００２５】
更に、請求項４の構成を採用するならば、インクジェットプリンターによる画像（Ｍ）のプリント物を、希望の品物や構造物へ貼り付け転写することができ、使用上の利便性が昂まる。
【図面の簡単な説明】
【図１】本考案に係る画像をプリントしたインクジェットプリント用紙の平面図である。
【図２】図１の２−２線に沿う拡大断面図である。
【図３】パイルの静電植毛工程を示す説明図である。
【図４】従来のインクジェットプリント用紙を示す図２に対応する断面図である。
【符号の説明】
（１０）・基材シート
（１１）・粘着剤
（１２）・離型シート
（１３）・接着剤
（１４）・パイル
（１５）・繰り出し機
（１６）・パイル収容ホッパー
（１７）・高電圧発生器
（１８）・乾燥装置
（１９）・回収装置
（２０）・捲き取り機
（Ｍ）・プリント画像
【図１】
0003096820.tif 000003
【図２】
0003096820.tif 000004
【図３】
0003096820.tif 000005
【図４】
0003096820.tif 000006